(57)【特許請求の範囲】
【請求項１】
装置を追加することにより遠隔通信キャビネットの容量を増加する方法であって、
前記装置が、
スプリッタハウジング内に配置されている光ファイバスプリッタであって、前記スプリッタハウジングから外方に延びる複数のスプリッタ出力ケーブルによって前記スプリッタハウジングから搬送される複数の光信号に光信号を分割するように形状構成されており、かつ、前記スプリッタ出力ケーブルの各々は光ファイバコネクタによって終端されており、前記光ファイバコネクタが研磨された端面を含んでいて、前記研磨された端面はごみよけキャップによりおおわれ保護されている光ファイバスプリッタと、
前記ごみよけキャップが前記光ファイバコネクタの前記研磨された端面をおおっている場合、前記スプリッタ出力ケーブルの前記光ファイバコネクタを受け入れて格納するように形状構成されているコネクタ格納モジュールであって、前記スプリッタハウジング、前記遠隔通信キャビネットから分離しているコネクタ格納モジュールと、を備えており、
前記方法は、
前記ごみよけキャップが前記光ファイバコネクタの前記研磨された端面をおおっている場合、前記スプリッタ出力ケーブルを終端させる前記複数の光ファイバコネクタを、前記のコネクタ格納モジュールによって画定されている前記コネクタホルダ開口の中に予め挿入することと、
前記スプリッタハウジングを前記遠距離通信キャビネット内の第１の場所に配置することと、
前記複数の光ファイバコネクタがユニットとして前記遠距離通信キャビネットの中に配置されるように、前記予め挿入された複数の光ファイバコネクタが前記コネクタ格納モジュール内に留まっている間に、前記遠距離通信キャビネット内の第２の位置に前記コネクタ格納モジュールを配置し、および、前記第１の場所は前記第２の場所から離れていることと
を含む方法。
【請求項２】
前記コネクタ格納モジュールは成形された一体型のユニットである請求項１に記載の方法。
【請求項３】
３２本のスプリッタ出力ケーブルが前記スプリッタハウジングから外方に延びる請求項１に記載の方法。
【請求項４】
前記光ファイバスプリッタは、前記スプリッタハウジングから外方に突き出る第１の出口部材を含み、前記第１の出口部材は、前記複数のスプリッタ出力ケーブルが中を通って延びる通路を画定する請求項１に記載の方法。
【請求項５】
入力ケーブルが、前記出口部材がそれから突き出る末端壁の中を通って前記スプリッタハウジング内に入る請求項４に記載の方法。
【請求項６】
前記入力ケーブルは前記第１の出口部材の中を通って前記スプリッタハウジング内に入らない請求項５に記載の方法。
【請求項７】
前記コネクタ格納モジュールは、第１の側部と、前記第１の側部とは反対側の位置にかつ間隔を置いて位置している第２の側部とを有し、前記コネクタ格納モジュールは前記コネクタ格納モジュールの前記第１の側部に複数のコネクタホルダ開口を画定し、および、前記コネクタホルダ開口の各々は、１つの前記スプリッタ出力ケーブルの前記光ファイバコネクタを着脱自在に保持するように形状構成されている請求項１に記載の方法。
【請求項８】
前記コネクタ格納モジュールは、前記コネクタ格納モジュールの前記第１の側部だけから前記スプリッタ出力ケーブルの前記光ファイバコネクタを受け入れるように形状構成されている請求項７に記載の方法。
【請求項９】
前記コネクタ格納モジュールは長さを画定し、および、前記コネクタホルダ開口は、前記長さに沿って互いに間隔を置いて位置しており、および、前記コネクタ格納モジュールは、前記コネクタ格納モジュールの前記長さに沿って延びる互いに間隔を置いて位置しているレールを含む請求項７に記載の方法。
【請求項１０】
キー結合要素が前記コネクタホルダハウジングの前記レールの少なくとも１つの上に配置されている請求項９に記載の方法。
【請求項１１】
前記コネクタ格納モジュールは、前記コネクタ格納モジュールの前記第１の側部における８つコネクタホルダ開口を画定する請求項７に記載の方法。
【請求項１２】
前記コネクタ格納モジュールの前記第１の側部における各々のコネクタホルダ開口は、ＳＣ型のコネクタを受け入れるように形状構成されている請求項７に記載の方法。
【請求項１３】
前記コネクタ格納モジュールの前記第１および第２の側部は第１の末端と第２の末端との間を延び、および、前記コネクタ格納モジュールの前記第１の末端はラッチを含む請求項７に記載の方法。
【請求項１４】
前記コネクタ格納モジュールは、前記コネクタ格納モジュールの前記第２の末端上の取り付けタブを含む請求項１３に記載の方法。
【請求項１５】
第２のコネクタ格納モジュールをさらに備え、前記第２のコネクタ格納モジュールは複数のコネクタホルダ開口を画定し、および、前記コネクタホルダ開口の各々は、１つの前記スプリッタ出力ケーブルの光ファイバコネクタを着脱自在に保持するように形状構成されている請求項１に記載の方法。
【請求項１６】
前記第２のコネクタ格納モジュールは、第１の側部と、前記第１の側部とは反対側の位置にかつ間隔を置いて位置している第２の側部とを有し、前記第２のコネクタ格納モジュールは、前記第２のコネクタ格納モジュールの前記第１の側部だけから前記スプリッタ出力ケーブルの前記光ファイバコネクタを受け入れるように形状構成されている請求項１５に記載の方法。
【請求項１７】
分割されることが望まれる信号を前記光ファイバスプリッタに搬送するための入力ケーブルを有する前記スプリッタハウジングを予め形状構成することであって、前記スプリッタハウジングが前記キャビネット内に配置される時に、前記スプリッタハウジングは前記キャビネットのスプリッタ取り付け位置に取り付けられることと、
前記キャビネットの中に通される外側ケーブルに前記入力ケーブルを光学的に接続すること
とをさらに含む請求項１に記載の方法。
【請求項１８】
前記予め挿入された複数の光ファイバコネクタが前記第１のコネクタ格納モジュール内に留まっている間に、前記予め挿入された複数の光ファイバコネクタに対応する前記スプリッタ出力ケーブルを前記キャビネット内に通すことをさらに含む請求項１に記載の方法。
【請求項１９】
前記遠距離通信キャビネットは、複数の光ファイバアダプタを含む終端フィールドを含み、および、
前記終端フィールドの前記光ファイバアダプタを顧客の構内に予め配線することと、
前記第１のコネクタ格納モジュールが前記遠距離通信キャビネット内に配置され終わった後に前記第１のコネクタ格納モジュールから前記予め挿入された複数の光ファイバコネクタを取り外すことと、
前記顧客構内にサービスを提供するために前記終端フィールドの前記光ファイバアダプタの中に前記光ファイバコネクタを挿入すること
とをさらに含む請求項１に記載の方法。
【発明の詳細な説明】
【技術分野】
【０００１】
本発明は、一般的に、光ファイバ遠距離通信接続装置に関する。さらに特に、本発明は、光ファイバコネクタのための多位置ホルダに関する。
【背景技術】
【０００２】
光ファイバの接続性とサービスとが、商業顧客と住宅顧客の両方の、ますます多くの顧客に広げられている。しかし、現在において、このサービスを利用可能なすべて顧客がこうしたサービスを受け入れて利用する用意が整っているわけではない。これに加えて、新たなサービスおよび接続装置が、こうしたユニットが構築されるかまたは居住の用意が整う時点の以前に、住宅および商業不動産開発プロジェクトにおいて提供されるだろう。
【発明の開示】
【発明が解決しようとする課題】
【０００３】
こうした状況では、設置された接続装置内の既存の接続部に対する新たな顧客の接続と、その設置された接続装置における利用可能な接続部の数の増大とを促進するための、容易に拡張可能な解決策を有することが望ましい。
【課題を解決するための手段】
【０００４】
本発明は、複数の光ファイバケーブルに外部プラントケーブルを接続するスプリッタを含む遠隔通信装置キャビネットに関する。このキャビネットは、スプリッタ取り付け区域と、ケーブルマネジメント構造と、コネクタによって終端された２つの光ファイバケーブルを光学的に接続するアダプタのアレイと、余剰ケーブル格納区域とを含む。顧客装置ケーブルがアダプタアレイ内でアダプタの後部に接続される。スプリッタからのケーブルがケーブルマネジメント構造と余剰ケーブル格納区域とに導かれ、および、この余剰ケーブル格納区域内では、これらのケーブルを終端するコネクタが、外部プラントケーブルと顧客装置ケーブルとの間の接続が必要とされる時まで、格納されて保護される。
【０００５】
本発明は、光ファイバコネクタを受け入れてこのコネクタの研磨された端面を保護するための、ハウジングの中の少なくとも１つの開口を有するコネクタホルダに関する。このコネクタホルダは、隔壁内の開口の中にそのハウジングを解除自在に取り付けるために互いに協働する一方の末端上の解除自在なラッチと他方の末端上の取り付けタブとを有するハウジングを含む。
【０００６】
本発明は、さらに、光ファイバ遠距離通信接続キャビネットの接続能力を増大させる方法に関する。スプリッタがこのキャビネット内に取り付けられ、および、このスプリッタからのケーブルが外部プラントケーブルに接続される。このスプリッタは外部プラントケーブルからの光信号を、光ファイバコネクタによって終端されている複数の光ファイバケーブルの中に分割する。この複数のケーブルはスプリッタからケーブルマネジメント区域と余剰ケーブル格納区域とに導かれる。これらのケーブルの複数のコネクタはコネクタホルダの中に挿入され、および、コネクタホルダは余剰ケーブル格納区域内の取り付け開口の中に挿入される。このキャビネットは、スプリッタからのケーブルを顧客装置ケーブルに接続するために必要に応じて使用されることが可能なアダプタのアレイを含む。
【０００７】
本明細書に組み入れられておりかつ本明細書の一部分を構成する添付図面が、本発明の幾つかの側面を例示し、および、説明と共に、本発明の原理を説明する役割を果たす。図面の簡単な説明は次の通りである。
【発明を実施するための最良の形態】
【０００８】
以下では、添付図面に示されている本発明の例示的な諸側面を詳細に説明する。同一または類似の部品に言及するために、可能である限り同一の照合番号が図面全体にわたって使用されるだろう。
【０００９】
図１は、顧客のための光ファイバ接続性が必要とされる区域内のペデスタルまたは他のマウントの上に取り付けられることが可能である遠距離通信接続キャビネットのような遠距離通信接続キャビネット１００を示す。キャビネット１００は、外部プラント光ファイバケーブルが光ファイバ配線ケーブルに接続されるための場所を提供する。この場合に、この配線ケーブルは、顧客の場所において光ファイバサービスおよび接続性を提供するために顧客装置に到達させられる。顧客に対してサービスを提供するための典型的な構成が、外部プラント（ＯＳＰ）ケーブルからの信号を複数の配線ケーブルの中に分割するためにスプリッタを使用することを含み、および、各々の配線ケーブルは特定の顧客装置に対する接続を実現する。共通のスプリッタが、双方向通信構成の形で、ＯＳＰケーブル内の光信号を３２個の個別信号に分割し、および、さらに、これらの３２個の信号をＯＳＰケーブルの中に結合する。キャビネット１００は、共通して所有されている２００３年７月２日付で出願された標題「遠距離通信接続キャビネット」の米国特許出願番号１０／６１３，７６４に開示されているものと本質的に類似しており、この出願の開示内容が本明細書に引例として組み入れられている。
【００１０】
顧客装置に接続されている複数のケーブル１０８がキャビネット１００の中に導かれるだろう。１つまたは複数のＯＳＰケーブル１０６が、スプライストレイまたはパネル１１０のようなスプライス装置にキャビネット１００の中に導かれるだろう。ＯＳＰケーブル１０６はスプライスパネル１１０内で２次ケーブル１０４に接合されるだろう。２次ケーブル１０４はスプライスパネル１１０から第１のケーブルマネジメント構造１１２に導かれ、および、スプリッタ取り付け区域１０３内のスプリッタ１０２に達する。スプリッタ１０２は、ＯＳＰケーブル１０６と２次ケーブル１０４とを通して伝送される光信号を、３２本までのファイバ配線ケーブル１１４の中に導かれる３２個までの信号に分離させる。ケーブル１１４は、スプリッタ１０２から、ケーブルマネジメント区域１１２の中を通して、複数のケーブル余長溜めスプール１１７を含む第２のケーブルマネジメントおよび余長溜め区域１１６の中に導かれる。ケーブル１１４は、この余長溜め区域１１６から、余剰ケーブル格納区域１１８内のコネクタホルダまたはアダプタアレイ１２０内のアダプタのどちらかに導かれてよい。これらのケーブル１１４の各々が光ファイバコネクタによって終端されていることが好ましい。
【００１１】
余剰ケーブル格納区域１１８内では、複数のコネクタホルダ１２２が隔壁１２４内の取り付けスロット内に設置されている。コネクタホルダ１２２（さらに詳細に後述する）は、光ファイバコネクタを受け入れて解除自在に保持する複数の開口を含む。コネクタホルダ１２２内の開口が、連続した光路を提供せずに、むしろ、終端光ファイバコネクタに取り付けられている各ケーブル１１４内の光ファイバの研磨された端面を収容して保護することが好ましい。この保護は、開示内容が本明細書に引例として組み入れられている、共通して所有されている２００３年６月３０日付で出願された標題「光ファイバコネクタホルダおよび方法」の米国特許出願番号１０／６１０，３２５に示されている末端キャップのような末端キャップとの組合せにおいて実現されるだろう。あるいは、コネクタホルダ１２２が、保護用の末端キャップを必要とせずにコネクタ終端ケーブル１１４の研磨端面を密封して保護するだろう。
【００１２】
アダプタアレイ１２０内には、コネクタ終端ケーブル１１４を受け入れる複数の光ファイバアダプタ１２３が取り付けられている。ケーブル１１４のコネクタは、アダプタ１２３の前面内の開口の中にも受け入れられる。アダプタ１２３は、さらに、顧客装置ケーブル１０８の１つを終端するコネクタを受け入れるようになっている開口を、反対側に位置した背面上に含む。アダプタアレイ１２０内のアダプタ１２３は、ケーブル１０８に接続されている顧客装置に対してＯＳＰケーブル１０６から光信号を伝送するために、ケーブル１１４の１つをケーブル１０８の１つに光学的に接続するだろう。このケーブル終端コネクタとアダプタ１２３は当業で公知である。図１に示されているように、このコネクタはＳＣコネクタであり、および、他のタイプ、フォーマット、スタイル、および、サイズの遠距離通信コネクタが使用可能であることが想定されている。
【００１３】
キャビネット１００は、前部１２６と、１対の互いに反対側に位置する側部１２８と、後壁１３０と、基部１３２と、頂部１３４とを含み、これらすべてが協働して、上述の様々な構成要素が中に取り付けられる内部１３６を画定する。これらの構成要素が、１対のドア１３８によって閉鎖できる前部１２６内の開口１４０の中を通して手を届かせることが可能である。
【００１４】
次に図２を参照すると、遠距離通信接続キャビネットの代案の実施形態２００が、キャビネット１００と同じ構成要素を含む。この構成要素の幾つかが外観または位置に関して変更されているが、その機能上の特徴はキャビネット１００と同様である。キャビネット１００は１対のアダプタアレイパネル１２１を含み、および、各パネル１２１は、１８個のアダプタ１２３から各行が構成されている合計で４つの行のアダプタ、すなわち、７２個のアダプタを含む。キャビネット２００は、３つのこのようなアダプタアレイパネルを含み、すなわち、合計で２１６個のアダプタ１２３を含む。キャビネット１００とキャビネット２００の両方は、余剰ケーブル格納区域１１８内に単一の隔壁１２４を含む。この隔壁１２４の各々は、３つのコネクタホルダ１２２から各行が構成されている３つの行のコネクタホルダ１２２を取り付けるための開口を含む。各々のコネクタホルダ１２２は、ケーブル１４４の８つのケーブルコネクタを受け入れて格納して保護するための合計８つの開口を含み、合計７２個までのコネクタの格納を実現する。
【００１５】
図３を参照すると、この図には、後部表面２２９を含む前面２２８内の９つの開口２２６と、開口２２６の１つの中に配置されている１つのコネクタホルダ１２２とを有する隔壁２２４が示されている。１対の互いに反対側に位置する側壁２３０が前面２２８の互いに反対側に位置した端部から１対の取り付けフランジ２３２へと後方に延びる。取り付けフランジ２３２は、キャビネット１００、２００の一方、または、同様に構成されているキャビネットに隔壁２２４を取り付けるための留め具開口２３４を含む。隔壁２２４は、中に取り付けられているそのキャビネットの一方の側に向かって前面２２８が傾斜しているように構成されていることを除いて、図１と図２の隔壁１２４と類似している。光ファイバコネクタを受け入れるための装置を含む隔壁を傾斜させることが当業で公知であり、および、特に有利であることに、曲げ半径の保護を促進すると同時にケーブルマネジメントと設置密度との改善を実現する。上述の図１と図２に示されているように、隔壁１２４は互いに等しい長さの側壁２３０を有し、したがって、その隔壁１２４はキャビネット１００またはキャビネット２００のどちらの側に向かっても傾斜していない。
【００１６】
開口２２６の各々は、第１の端部すなわち上端部２２７と第２の端部すなわち下端部２２５とを含む。１対の耳部２３６が、上端部２２７から下端部２２５に延びる１対の互いに反対側に位置する側部の中に１つずつ配置されており、この耳部２２６は、開口２２６内のコネクタホルダ１２２を方向配置するためにコネクタホルダ１２２上のキー結合要素２３８と協働する。コネクタホルダ１２２は、開口２２６内でコネクタホルダ１２２を解除自在に保持するために協働する（後述の図４から図６に示されている）一方の末端における解除自在のラッチ２４０と他方の末端におけるタブ２４２とを有する。ケーブル１１４内の張力によってコネクタホルダ１２２に加えられることがある力の方向が、開口２２６からのコネクタホルダ１２２の偶発的な解除を防止するように制御されることが望ましい。キー結合要素２３８と耳部２３６は、このようなケーブルの張力によって生じさせられる偶発的な解除に抵抗するようにコネクタホルダ１２２が開口２６６内で適正に方向配置されていることを確実なものにするために協働する。
【００１７】
隔壁２２４（および隔壁１２４）の前面２２８内の開口２２６は、コネクタホルダ１２２が所定の位置にない時に８つまでのアダプタ１２３も受け入れる大きさにされている。このことが隔壁１２４、２２４が、キャビネット１００、２００と、これらと同様に構成されているキャビネットとの接続能力を増大させるために、ケーブル１１４を顧客装置ケーブル１０８に光学的に接続するための追加の空間を実現することを可能にする。
【００１８】
次に、図４から図１３を参照すると、コネクタホルダ１２２は、ケーブル１１４のコネクタを受け入れて解除自在に保持するための８つの開口１５０を有するハウジング１６０を含む。上述したように、ケーブル１１４はＳＣ型のコネクタによって終端されており、および、開口１５０は、ＳＣコネクタを受け入れて解除自在に保持するように構成されている。図４から図６に示されているように、開口１５０はハウジング１６０の中を通って前部１６２から後部１６４に延び、および、これらの開口の各々は、ケーブル１１４とコネクタとによって保持されている光ファイバの研磨端面の周りのダストキャップとを有するケーブル１１４のコネクタを受け入れることが可能である。このダストキャップは、上述されておりかつ本明細書に組み入れられている米国特許出願に示されている。あるいは、この代わりに、コネクタの研磨端面が、ダストキャップによって、または、ダストキャップなしに、汚染から保護されることが可能であるように、開口１５０の末端が閉じられていてもよい。
【００１９】
ハウジング１６０は、第１の末端すなわち頂部１５２と、第２の末端すなわち底部１５４とを含む。解除自在なラッチ２４０が頂部１５２に取り付けられており、および、タブ２４２が底部１５４内に取り付けられている。レール１５６がハウジング１６０の側部１６６に沿って頂部１５２と底部１５４との間を延びている。キー結合要素２３８がレール１５６に沿って配置されており、および、レール１５６の後面１５８を越えて延びる。レール１５６の後面１５８を越えて延びるハウジング１６０の一部分が、開口２２６内に嵌まる大きさにされている。レール１５６の後面１５８は、開口２２６内に挿入されると、前面２２８と係合し、および、キー結合要素２３８は、ハウジング１６０の頂部１５２と底部１５４とを適正に方向配置するために耳部２３６の１つに係合する。
【００２０】
ハウジング１６０を開口２２６内に挿入するために、タブ２４２の固着面２４３が下端部２２５の前面２２８の後方に位置しかつ前面２２８の後部表面２２９に係合するように、底部１５４が最初に前面２２８の中を通して開口２２６内に配置される。その次に、頂部１５２が開口２２６内に挿入される。解除自在なラッチ２４０の傾斜面２４４が開口２２６の上端部２２７に係合し、および、解除自在なラッチ２４０の傾斜面２４４と固着面２４１とが開口２２６の中を通過するのを可能にするように曲がる。解除自在なラッチ２４０の固着面２４１は後部表面２２９に係合する。レール１５６の後面１５８が固着面２４１、２４３の両方に対向しており、この後面１５８は前面２２８と係合している。キー結合要素２３８の両方は開口２２６の耳部２３６に係合する。解除自在なラッチ２４０は、固着面２４１が後部表面２２９から分離して開口２６６からのハウジング１６０の取り外しを可能にするように、固着面２４１を引っ込めるために押し下げられることが可能な指片タブ２４６を含む。ハウジング１６０は、前部１２６内の開口１４０の中を通してキャビネット１００またはキャビネット２００に手を届かせる時に、隔壁１２４、２２４の前面２２８を通して挿入されるように構成されている。
【００２１】
次に図７から図１３を参照すると、コネクタホルダ１２２のハウジング１６０は、各々の開口１５０内に方向配置スロット１７０とラッチ係合アーム（ｌａｔｃｈｉｎｇ  ａｒｍ）１６８とを含む。ラッチ係合アーム１６８はＳＣ型アダプタのラッチ係合要素と協働して、このコネクタが開口２５０内に解除自在に保持されることを可能にする。他の型とタイプのコネクタの場合には、こうしたコネクタが解除自在に保持されることを可能にするために、異なるラッチ係合要素が開口１５０内に含まれてよい。方向配置スロット１７０は、開口１５０内のコネクタすべてを同一の仕方で方向配置するために、ＳＣコネクタの外側上の方向配置要素と協働するだろう。コネクタのこの方向配置は、概ね対称なラッチ係合要素を有するＳＣコネクタにとっては必ずしも不可欠ではないが、異なるラッチ係合構成を有する他のコネクタの場合には望ましいだろう。
【００２２】
次に図１４を参照すると、スプリッタ１０２が、２次ケーブル１０４のためのケーブル入口１７４とケーブル１１４のための１対のケーブル出口１７６とを有するハウジング１７２を含む。図に示すように、各々のケーブル出口１７６は、１６本までのケーブル１１４がハウジング１７２の外に出ることを可能にする。ＳＣコネクタとして示されている研磨端面１８２を有するコネクタ１８０が各ケーブル１１４を終端する。ケーブル出口の他のサイズとレイアウトとが想定されている。満たされるべき接続要件とスプリッタ１０２内の光スプリッタ構成とに応じて、異なる数のケーブル１１４がハウジングを出ることができる。キャビネット１００、２００、または、同様に構成された遠距離通信接続キャビネットのスプリッタ取り付け区域１０３内にスプリッタ１０２を保持するために、解除自在なラッチ１７８がハウジング１７２の１つの側部に取り付けられている。
【００２３】
図１４Ａは、２次ケーブル１０４と複数のケーブル１１４とを有する、スプリッタ１０２にレイアウトが類似している光ファイバ装置モジュール２０２を示す。２次ケーブル１０４は単一ストランドのケーブルであってよく、および、モジュール２０２は、モジュール１０２に関して上述したスプリッタのような、ケーブル１１４を有するコネクタケーブル１０４に対するスプリッタを含んでよい。あるいは、この代わりに、ケーブル１０４はマルチストランドのケーブルであってよく、および、モジュール２０２は、ストランドをケーブル１１４の形に分離するファンアウトモジュール（ｆａｎ−ｏｕｔ  ｍｏｄｕｌｅ）としてだけ働いてもよい。ケーブル１１４の各々はコネクタ１８０によって終端され、および、各コネクタ１８０はコネクタホルダ１２２の中に挿入されている。このモジュール２０２は、後述する接続能力の追加方法において使用されるだろう。
【００２４】
キャビネット１００に接続能力を追加する方法が、１つまたは複数のコネクタホルダ１２２との組合せの形で事前構成されたスプリッタ１０２を設置することを含むだろう。設置される時にキャビネット１００が特定の顧客サービス区域に関する最終的な接続構成を予想することを必要とするように、キャビネット１００内の接続能力の容易な現場での拡張を実現することが望ましい。キャビネット１００は、顧客区域に関して予測された当面の必要性を満たすために、および、その区域内で必要とされる接続が多くなるにつれて増分的な拡張を可能にするためにだけ必要な接続能力を伴って、設置されればよい。キャビネット１００に接続能力を追加する次の方法はキャビネット２００にも適用可能であり、および、設置前にキャビネット１００を当初に構成するために、または、キャビネット１００の接続能力を現場で拡張するために、使用されてよい。
【００２５】
キャビネット１００内の接続能力を増大させるために、ケーブル１０４とコネクタ１８０によって終端された３２本のケーブル１１４と共に事前構成されているスプリッタ１０２が使用される。このスプリッタ１０２はスプリッタ取り付け区域１０３内に取り付けられており、および、ケーブル１０４の自由端部がケーブルマネジメント構造１１２とスプライスパネル１１０との中に導かれる。スプライスパネル１１０内では、ケーブル１０４の自由端部がＯＳＰケーブル１０６の末端の中に接合される。この接合がＯＳＰケーブル１０６をケーブル１１４の各々に光学的に接続する。ケーブル１１４のコネクタ１８０は４つのコネクタホルダ１２２の中に事前に挿入されている。ケーブル１１４はスプリッタ１０２からケーブルマネジメント構造１１２を経由して第２のケーブルマネジメント構造１１６の中に導かれ、この第２のケーブルマネジメント構造１１６内では、余剰ケーブル長さがケーブル余長溜め装置の中に保持されるだろう。スライススプリッタ１０２が異なるキャビネットとキャビネット１００と共に使用するように再構成されてよいので、スプリッタのケーブル１１４の長さはキャビネット１００の場合に必要とされるその長さよりも長く、および、この余剰長さがケーブル余長溜めスプール１１７（図１を参照されたい）の周りに保持されるだろう。
【００２６】
第２のケーブルマネジメント区域１１６から、ケーブル１１４と、挿入されているコネクタ１８０を伴うコネクタホルダ１２２とが、余剰ケーブル格納区域１１８内に入れられる。各々のコネクタホルダ１２２は、隔壁１２４の開口２２６の１つの中に単純にスナップ嵌めされる。これで増分の接続能力の追加が完了する。顧客接続が必要とされる時に顧客装置ケーブル１０８がキャビネット１００の中に導き入れられ、コネクタ１８０によって終端される。このコネクタは、アダプタアレイ１２０内のアダプタ１２３の後部開口の中に挿入される。あるいは、この代わりに、キャビネット１００が設置される時に、アダプタ１２２内のすべてのアダプタ１２３の後部が、事前配線された顧客装置ケーブル１０８を有するだろうし、および、これらのケーブルが将来の顧客のフックアップを見越して顧客構内に導かれる。こうした事前配線された顧客が通電した接続を望む時には、ケーブル１１４が適切なアダプタ１２３の前部の中に挿入されるだけでよい。余剰ケーブル格納区域１１８内のケーブル１１４の１つが選択され、および、そのコネクタ１８０がコネクタホルダ１１８から取り外される。この選択されたケーブル１１４は、所望の長さのケーブルを提供するために、必要に応じて第２のケーブルマネジメント区域１１６内に再び通され、および、コネクタ１８０はアダプタアレイ１２０内の適切なアダプタ１２３の中に挿入される。選択されたケーブル１１４のコネクタ１８０が、ファイバの研磨端面を保護するためにダストキャップを含む場合には、このダストキャップはアダプタ１２３の中への挿入の前に取り外される。
【００２７】
スプリッタ１０２は、このスプリッタ１０２が設置される時に４つのコネクタホルダ１２２の中に挿入された３２本のケーブル１１４とコネクタ１８０とを含む。これらのケーブル１１４とコネクタ１８０とがアダプタアレイ１２０の中に移動させられるので、コネクタホルダ１２２の一部または全部がすべてのコネクタ１８０で塞がっていないことがある。これが生じる時には、空のコネクタホルダ１２２が余剰ケーブル格納区域１１８から取り外され、および、廃棄または再利用されてよい。この空のコネクタホルダ１２２の取り外しが隔壁１２４内の開口２２６を自由にし、追加のスプリッタ１０２のコネクタホルダが設置されることと、より多くの接続能力がキャビネット１００に追加されることとを可能にする。
【００２８】
顧客装置に対する接続が終端されなければならない場合には、適切なケーブル１１４のコネクタ１８０がアダプタ１２３から取り外されてよい。その次に、ケーブル１１４がケーブルマネジメント構造１１６内に再び通され、および、コネクタ１８０が余剰ケーブル格納区域１１８内のコネクタホルダ１２２の開口１５０の中に挿入される。
【００２９】
キャビネット１００のスプリッタ取り付け区域１０３は４つまでのスプリッタ１０２を取り付けるための空間を含み、一方、キャビネット２００は８つまでのスプリッタ１０２を取り付けるための空間を提供する。キャビネット１００は、このように構成されているので、４本までのＯＳＰケーブルを各々に３２本のケーブル１１４に分割するように、すなわち、合計で１２８本のケーブル１１４に分割するように接続する能力を有する。アダプタアレイ１２０内には、対応する顧客装置ケーブル１０８に対するこれらのケーブル１１４の各々の接続を可能にするのに十分な数のアダプタ１２３が存在する。
【００３０】
しかし、キャビネット２００は、８本までのＯＳＰケーブルを各々に３２本のケーブル１１４に分割し、すなわち、合計で２５６本までのケーブル１１４に分割する能力を有する。キャビネット２００内のアダプタアレイ１２０は、ケーブル１１４からのコネクタを受け入れるための合計で２１６個のアダプタ１２３を提供するだけである。アダプタアレイ１２０がケーブル１１４で埋め尽くされ終わった後に、顧客装置ケーブル１０８との接続のためのアダプタ１２３が備えられていない４０本までの余剰ケーブル１１４が余剰ケーブル格納区域１１８内に存在するだろう。
【００３１】
図４から図１３に示されているように、８つの開口１５０を有するコネクタホルダ１２２のハウジング１６０は、８つのアダプタ１２３から構成されるアレイと概ね同一の実装面積を有する。アダプタアレイ１２０がスプリッタ１０２からのケーブル１１４で完全に埋め尽くされると、コネクタホルダ１２２は隔壁１２４内の開口２２６から取り外されてよく、および、８つまでのアダプタ１２３が開口２２６の各々の中に位置してもよい。隔壁１２４内の５つの開口をアダプタ１２３で埋め尽くすことによって、追加の４０本のケーブル１１４が顧客装置ケーブル１０８と接続されることが可能であり、および、４０本の余剰ケーブル１１４が利用可能であるようにアダプタアレイ１２０の能力を効果的に増大させる。開口２２６の５つがアダプタ１２３によって使用されている場合さえ、顧客装置ケーブルとの接続が解除または変更される時にケーブル１１４が格納されるようにコネクタホルダ１２２のために依然として開口２２６が残されている。
【００３２】
図１５は、余剰ケーブル格納区域１１８内に隔壁２２４を含むが、キャビネット１００、２００と構成が類似している、遠距離通信接続キャビネット３００の第３の代案の実施形態を示す。アダプタパネル１２１と隔壁２２４は、ケーブルマネジメント構造１１６からアダプタ１２３とコネクタホルダ１２２へのケーブル１１４の移動を改善するために、ケーブルマネジメント構造と余長溜め１１６とに向かって傾斜させられている。これに加えて、ケーブル支持体３０２が、アダプタ１２３とコネクタホルダ１２２とに延びるケーブル１１４をそれぞれに支持するためにパネル１２１と隔壁２２４との両方の上に設けられている。
【００３３】
図１６は、本発明による遠距離通信接続キャビネット４００の第４の実施形態を示す。キャビネット４００は、アダプタアレイ１２０と余剰ケーブル格納区域１１８の両側に沿ってケーブル余長溜めを有するケーブルマネジメント構造を伴って、上述のキャビネット１００、２００、３００に構成において類似している。パネル１２１の左側に隣接したアダプタ１２３はキャビネット４００の左側に向かって傾斜させられており、および、パネル１２１の右側に隣接したアダプタ１２３はそのキャビネットの右側に向かって傾斜させられている。
【００３４】
図１７は、キャビネット５００内の並列構造５０２を含む遠距離通信キャビネット５００の第５の実施形態である。各々の構造５０２はキャビネット４００の内容物と構成的に類似している。
【００３５】
図１８は、余剰ケーブル格納区域１１８が内側壁６０２の１つに沿って配置されている遠距離通信キャビネット６００の第６の実施形態である。図１９は、コネクタホルダ１２２を受け入れるための複数の開口２２６を含む隔壁６０４を示す。キャビネット６００内のその他の要素は上述したキャビネットに類似している。隔壁６０４は、それぞれに内部６０２とキャビネット後部壁１３０とに対する接続のために１対の取り付けフランジ６０６、６０８を含む。
【００３６】
上述の明細事項と具体例とデータが、本発明の製造と使用の完全な説明を提供する。本発明の多数の実施形態が本発明の着想と範囲とから逸脱せずに作られることが可能なので、本発明は、以下に添付されている特許請求項に存在する。
【図面の簡単な説明】
【００３７】
【図１】図１は、配線を示すために例示的なケーブルだけが示されている、本発明による多位置光ファイバコネクタホルダを含む光ファイバ遠距離通信接続キャビネットの正面図である。
【図２】図２は、配線を示すために例示的なケーブルだけが示されている、本発明による多位置光ファイバコネクタホルダを含む光ファイバ遠距離通信接続キャビネットの第２の実施形態の正面図である。
【図３】図３は、複数の取り付け開口の中の１つの取り付け開口の中に挿入されている多位置光ファイバコネクタホルダを伴う、図１と図２に示されている多位置光ファイバコネクタホルダを受け入れるための取り付け隔壁の正面斜視図である。
【図４】図４は、本発明による多位置光ファイバコネクタホルダの正面斜視図である。
【図５】図５は、図４の多位置光ファイバコネクタホルダの背面斜視図である。
【図６】図６は、図４の多位置光ファイバコネクタホルダの第２の背面斜視図である。
【図７】図７は、図４の多位置光ファイバコネクタホルダの正面図である。
【図８】図８は、図４の多位置光ファイバコネクタホルダの背面図である。
【図９】図９は、図４の多位置光ファイバコネクタホルダの上面図である。
【図１０】図１０は、図４の多位置光ファイバコネクタホルダの下面図である。
【図１１】図１１は、線１１−１１に沿った、図７の多位置光ファイバコネクタホルダの側面断面図である。
【図１２】図１２は、線１２−１２に沿った、図７の多位置光ファイバコネクタホルダの断面図である。
【図１３】図１３は、線１３−１３に沿った、図７の多位置光ファイバコネクタホルダの第２の断面図である。
【図１４】図１４は、図１および図２のキャビネット内において示されている光ファイバスプリッタモジュールの正面斜視図である。
【図１４Ａ】図１４Ａは、本発明による光ファイバ装置の上面図である。
【図１５】図１５は、本発明による遠距離通信接続キャビネットの第３の実施形態の正面図である。
【図１６】図１６は、本発明による遠距離通信キャビネットの第４の実施形態の正面図である。
【図１７】図１７は、本発明による遠距離通信接続キャビネットの第５の実施形態の正面斜視図である。
【図１８】図１８は、側壁の内側表面に隣接して取り付けられている余剰ファイバ格納区域を有する、本発明による遠距離通信キャビネットの第６の実施形態の正面図である。
【図１９】図１９は、複数の取り付け開口の中の１つの取り付け開口の中に挿入された多位置光ファイバコネクタホルダを有する、図１８に示されている多位置光ファイバコネクタホルダを受け入れるための取り付け隔壁の正面斜視図である。
【図１】
0004933427.tif 000002
【図２】
0004933427.tif 000003
【図３】
0004933427.tif 000004
【図４】
0004933427.tif 000005
【図５】
0004933427.tif 000006
【図６】
0004933427.tif 000007
【図７】
0004933427.tif 000008
【図８】
0004933427.tif 000009
【図９】
0004933427.tif 000010
【図１０】
0004933427.tif 000011
【図１１】
0004933427.tif 000012
【図１２】
0004933427.tif 000013
【図１３】
0004933427.tif 000014
【図１４】
0004933427.tif 000015
【図１４Ａ】
0004933427.tif 000016
【図１５】
0004933427.tif 000017
【図１６】
0004933427.tif 000018
【図１７】
0004933427.tif 000019
【図１８】
0004933427.tif 000020
【図１９】
0004933427.tif 000021